(57)【特許請求の範囲】
【請求項１】
座部及び背凭れを有する椅子本体と、
前記背凭れに位置して前方に傾動可能に設けられ、かつ、その中央に上方向きに開放して人体の首部が入り込む空間が設けられている基台と、
前記基台を上下方向の中間部で前記椅子本体の背凭れ用フレームに前方に回動自在に且つ前方に傾動可能に取り付けている軸と、
前記軸の下方において前記基台と前記背凭れ用フレームとの間に介装され、膨張により前記基台の前記軸より上方を前方に傾動させる傾動用のエアバッグと、
前記基台の上方寄り左右に前記空間を挟んで配設され、膨縮により人体の首部又は左右の肩部を加圧マッサージし得る一対のマッサージ用のエアバッグと、
前記各エアバッグに空気を給排気して膨縮させるコンプレッサーユニットとを備え、
人体の左右の肩部を加圧マッサージする際に、前記基台をその空間に人体の首部が入り込むように前記傾動用のエアバッグにより前方に傾動させることを特徴とするマッサージ椅子。
【発明の詳細な説明】
【０００１】
【発明の属する技術分野】
本発明は、マッサージ椅子、特に、エアバッグの膨縮を利用して人体を加圧マッサージするマッサージ椅子に関する。
【０００２】
【従来の技術】
従来、例えば、実開昭５６−８４８２８号公報に開示されているように、背凭れに昇降可能な水平基台を設け、この水平基台の底面左右に人体肩部を加圧マッサージするためのエアバッグを設けると共に、水平基台の中央に前方に向けて開放して人体首部が入る凹部を形成し、この凹部に人体首部を後から加圧マッサージするエアバッグを設けたマッサージ椅子が知られている。
【０００３】
【発明が解決しようとする課題】
ところで、上記の如く構成されたマッサージ椅子にあっては、人体肩部用の左右一対のエアバッグと、人体首部用のエアバッグとが別々に設けられているように、加圧マッサージ部位毎にエアバッグが設けられていた。
【０００４】
これは、人体肩部は左右二箇所で且つその加圧方向が下方であり、人体首部は中央一箇所で且つその加圧方向が前方であるというように、加圧部位と加圧方向とが異なることから、それぞれ専用のエアバッグを配置しているものである。
【０００５】
従って、人体首部と人体肩部といったように、加圧位置（左右に離間している距離等）が異なり且つ加圧方向が異なるといった部位にエアバッグを共用することができないという問題があった。
【０００６】
本発明は、上記問題を解決するため、左右に離間している距離等を含めた加圧位置が異なり且つ加圧方向が異なるといった部位にエアバッグを共用することができるマッサージ椅子を提供することを目的とする。
【０００７】
【課題を解決するための手段】
その目的を達成するため、請求項１の発明は、座部及び背凭れを有する椅子本体と、前記背凭れに位置して前方に傾動可能に設けられ、かつ、その中央に上方向きに開放して人体の首部が入り込む空間が設けられている基台と、前記基台を上下方向の中間部で前記椅子本体の背凭れ用フレームに前方に回動自在に且つ前方に傾動可能に取り付けている軸と、前記軸の下方において前記基台と前記背凭れ用フレームとの間に介装され、膨張により前記基台の前記軸より上方を前方に傾動させる傾動用のエアバッグと、前記基台の上方寄り左右に前記空間を挟んで配設され、膨縮により人体の首部又は左右の肩部を加圧マッサージし得る一対のマッサージ用のエアバッグと、前記各エアバッグに空気を給排気して膨縮させるコンプレッサーユニットとを備え、人体の左右の肩部を加圧マッサージする際に、前記基台をその空間に人体の首部が入り込むように前記傾動用のエアバッグにより前方に傾動させるマッサージ椅子としたことを特徴とする。
【０００８】
【発明の実施の形態】
次に、本発明のマッサージ椅子の実施の形態を図面に基づいて説明する。
【０００９】
図１１において、マッサージ椅子１は、椅子本体２と、椅子本体２の下方に載置される制御回路内蔵のコンプレッサーユニット３と、リモートコントロール装置４とを備えている。
【００１０】
椅子本体２は、座部５と、リクライニング可能な背凭れ６と、左右一対の肘掛７とを備えている。また、椅子本体２は、図１０に示すように、座部用フレーム８と、背凭れ用フレーム９と、リクライニング機構１０とを備えている。このリクライニング機構１０は、背凭れ６のリクライニング操作と連動して座部５を前後並びに上下方向に変位させる。一方、背凭れ６の上方には、人体Ｐの首部及び肩部の何れか一方を切り替え選択により挟み込むように加圧マッサージするマッサージユニット１１を備えている。
【００１１】
マッサージユニット１１は椅子本体２の表皮２ａに覆われている。この際、表皮２ａはマッサージユニット１１の傾動や移動変位を許容するように、生地自体の特性、若しくは皺形成等により伸縮性を有する。
【００１２】
マッサージユニット１１は、図９に示すように、背凭れ用フレーム９の下端寄に軸１２を介して軸支された基台１３と、基台１３の表面側に設けられたマッサージ本体１４と、このマッサージ本体１４と一体に基台１３を軸１２を支点として前方に回動させるエアバッグ１５とを備えている。尚、軸１２には、図示を略する復帰スプリング等の付勢部材が設けられており、この付勢力により常時は背凭れ用フレーム９と略平行な位置に基台１３が位置しており、コンプレッサーユニット３から供給された空気によってエアバッグ１５が膨張すると、その膨張度に応じて基台１３が前方に回動する。これにより、基台１３は、所定範囲内で無段階に位置決めすることができる。また、図８に示すように、基台１３の中央寄りで軸１２を介して背凭れ用フレーム９にマッサージユニット１１を回動可能に保持してもよい。この場合、エアバッグ１５は軸１２よりも下方に配置される。また、例えば、扇形ギヤと駆動モータ等によって基台１３を傾動可能とし、エアバッグ１５並びに復帰スプリングを廃止するなど、マッサージユニット１１の傾動はエアバッグ方式に限定されるものではない。
【００１３】
マッサージ本体１４は、図６及び図７に示すように、三枚の保形板１６〜１８と、この保形板１６〜１８の間に設けられた二つのエアバッグ１９，２０と、最表面側の保形板１８の表面に設けられた半球状のクッション体２１と、クッション体２１の頂点付近に固定された指圧子２２とを備え、この指圧子２２の先端のみが表皮２ａから外部に露出している。
【００１４】
エアバッグ１９，２０は、図７に示すように、コンプレッサーユニット３から供給される空気によって、マッサージ本体１４の全体が扇形状に開くように膨張する。保形板１６〜１８は、この二つのエアバッグ１９，２０の膨張形状を維持するための機能を有する。尚、エアバッグ１９，２０は、一つでも良く、この場合には保形板１６〜１８も一枚不要となる。
【００１５】
基台１３は、図５に示すように、正面視中央に上方に向けて開放した空間１３ａを有する略凹字形状に形成され、その左右に上述したマッサージ本体１４がそれぞれ取り付けられている。尚、図７に示したマッサージ本体１４は、図５の右側に位置するものであり、図５の左側に位置するものは、扇形開拡形状が逆になる。また、基台１３は、所定間隔を存して（空間１３ａに相当する間隔を形成）左右独立したものであっても良い。また、マッサージ本体１４は、人体Ｐに対する体格差に対応させるため、図５（Ｂ），（Ｃ）に示すように、基台１３に左右（図５（Ｂ））、上下（図５（Ｃ））に変位可能に設けることも可能である。
【００１６】
ところで、基台１３は、図４に示すように、背凭れ用フレーム９に上下変位可能に保持された昇降フレーム（昇降台でも良い）２３に固定した基台２４としても良い。この場合、各フレーム９，２３に設けられたピニオン・ラック２５により背凭れ用フレーム９に沿って昇降フレーム２３を上下変位させることにより人体Ｐの高さ調節を行い、基台２４に設けられたウォーム・ラック２６により基台２４のガイドレール２７に沿ってマッサージ本体１４を左右変位させることにより幅調節を行うように構成することも可能である。
【００１７】
上記の構成において、人体Ｐの首部をマッサージする場合には、図１（Ａ），図２（Ａ），図３（Ａ）に示すように、基台１３を縦向きとし、左右のマッサージ本体１４の間に首が位置するように腰掛け、リモートコントロール装置３の操作によりエアバッグ１９，２０を膨張させると、あたかも首部を挟み込むように指圧子２２が互いに接近して加圧マッサージを行うことができる。そして、コンプレッサーユニット３の自動制御により、例えば、所定時間、エアバッグ１９，２０の膨縮が繰り返され、良好な加圧マッサージを受けることができる。
【００１８】
一方、人体Ｐの肩部をマッサージする場合には、図１（Ｂ），図２（Ｂ），図３（Ｂ）に示すように、基台１３を傾動させてやや前向きとし、左右のマッサージ本体１４の間、即ち、空間１３ａに首が位置するように腰掛け、リモートコントロール装置３の操作によりエアバッグ１９，２０を膨張させると、あたかも肩部を挟み込むように指圧子２２が互いに接近して加圧マッサージを行うことができる。そして、コンプレッサーユニット３の自動制御により、例えば、所定時間、エアバッグ１９，２０の膨縮が繰り返され、良好な加圧マッサージを受けることができる。
【００１９】
ところで、上記実施の形態では、基台１３を回動させる構成を開示したが、背凭れ６にヘッドレスト部６ａを独立させると共に、このヘッドレスト部６ａの中央に人体の首部が入り込む凹部６ｂを形成し、ヘッドレスト部６ａの全体を前後に回動させても良い。
【００２０】
【発明の効果】
本発明のマッサージ椅子は、以上説明したように構成したことにより、左右に離間している距離等を含めた加圧位置が異なり且つ加圧方向が異なるといった部位にエアバッグを共用することができる。
【図面の簡単な説明】
【図１】本発明の実施の形態に係わるマッサージ椅子を示し、（Ａ）は人体首部をマッサージしている状態の要部の正面図、（Ｂ）は人体肩部をマッサージしている状態の要部の正面図である。
【図２】同じく、（Ａ）は人体首部をマッサージしている状態の要部の側面図、（Ｂ）は人体肩部をマッサージしている状態の要部の側面図である。
【図３】同じく、（Ａ）は人体首部をマッサージしている状態の要部の平面図、（Ｂ）は人体肩部をマッサージしている状態の要部の平面図である。
【図４】同じく、基台の昇降・左右変位機構の一例の説明図である。
【図５】同じく、（Ａ）はマッサージ本体が正規の位置にあるときの要部の正面図、（Ｂ）はマッサージ本体が最大側方位置にあるときの要部の正面図、（Ｃ）はマッサージ本体が最大下方位置にあるときの要部の正面図である。
【図６】同じく、マッサージ本体の静止状態の平面図である。
【図７】同じく、マッサージ本体の駆動状態の平面図である。
【図８】同じく、基台の傾動の一例を示す側面図である。
【図９】同じく、基台の傾動の他例を示す側面図である。
【図１０】マッサージ椅子の側面図である。
【図１１】マッサージ椅子の外観斜視図である。
【符号の説明】
１…マッサージ椅子
１３…基台
１４…エアバッグ本体
１５…エアバッグ（傾動用）
１９…エアバッグ（マッサージ用）
２０…エアバッグ（マッサージ用）
【図１】
0003926622.tif 000002
【図２】
0003926622.tif 000003
【図３】
0003926622.tif 000004
【図４】
0003926622.tif 000005
【図５】
0003926622.tif 000006
【図６】
0003926622.tif 000007
【図７】
0003926622.tif 000008
【図８】
0003926622.tif 000009
【図９】
0003926622.tif 000010
【図１０】
0003926622.tif 000011
【図１１】
0003926622.tif 000012